(57)【要約】【課題】本発明は化粧時に使用される目元スケールに関し、被施術者の個々の特性に拘わらず使用性よく目元に対して美容施術を行うことを課題とする。【解決手段】ケース２と、このケース２内に設けられた光源３と、ケース２に形成され光源３の光をケース外部に照射するための開口部５ａと、光源３と開口部５ａとの間に配設され、目元に施す化粧料の理想施術形状に対応した遮光部１１が形成されたマスク部材４とを有し、理想施術形状に対応した影Ｓを被施術者Ａに投写しうる構成とする。【選択図】  図１
2012000300.tif 000002
【特許請求の範囲】
【請求項１】
ケースと、
該ケース内に設けられた光源と、
前記ケースに形成され、前記光源の光をケース外部に照射するための開口部と、
前記光源と前記開口部との間に配設され、目元に施す化粧料の理想施術形状に対応した遮光部が形成されたマスク部材とを有し、
前記理想施術形状に対応した影を被施術者に投写しうる構成としたことを特徴とする目元スケール。
【請求項２】
前記遮光部の形状は、縦Ｈに対する横Ｗの比率（Ｈ：Ｗ）が（１：２）から（１：４）の範囲であることを特徴とする請求項１記載の目元スケール。
【請求項３】
前記光源はＬＥＤであることを特徴とする請求項１又は２記載の目元スケール。
【請求項４】
前記化粧料はアイシャドーであることを特徴とする請求項１乃至３のいずれか一項に記載の目元スケール。
【請求項５】
前記ケースは、携帯端末装置のケースであることを特徴とする請求項１乃至４のいずれか一項に記載の目元スケール。
【発明の詳細な説明】
【技術分野】
【０００１】
本発明は目元スケールに係り、特に化粧時に使用される目元スケールに関する。
【背景技術】
【０００２】
近年、目元にアイシャドー或いはアイライナーを描くアイメーキャップ法に対する関心が高まっており、メーキャップ用の化粧品及び用具と共に目元に施術する化粧方法が種々提案されている。しかしながら、美容施術の過程において、被施術者（化粧を行う者）の顔にマッチするバランスのとれた美しいアイシャドー或いはアイライナーを描くことは難しいとされている。
【０００３】
そこで本出願人は、ゴールデンバランス等を基準とする理論に基づいた目の美容方法について先に提案を行った。（特許文献１，２）。この美容方法では、ゴールデンバランスに基づく標準バランスの目の形態を基準とし、この標準バランスの目の形態と実際の被施術者の目の形態との差を緩和させるようアイメーキャップを施術する。これにより、魅力的な演出をするための目の化粧法を、経験則によらず的確に行うことが可能となる。
【先行技術文献】
【特許文献】
【０００４】
【特許文献１】特開２００５−０３８３７５号公報
【特許文献２】特開２０１０−０９２４３９号公報
【発明の概要】
【発明が解決しようとする課題】
【０００５】
しかしながらこの美容方法を行うためには、標準バランスの目の形態と被施術者の目の形態とを比較する必要がある。この比較を行う方法としては、標準バランスの目の形態を予め印刷したスケールを用いる方法が考えられる。この方法では、当該スケールを被施術者の目元に当て、スケールに印刷された標準バランスの目の形態と被施術者の目の形態とを比較することとなる。
【０００６】
しかしながら、アイメーキャップ法におけるゴールデンバランスは、目の縦幅と目の横幅との比で与えられる。このため、ゴールデンバランスに対応した目の縦幅の長さと目の横幅の長さは、被施術者の顔の大きさや目の大きさ等により被施術者毎に異なった長さとなる（しかしながら、ゴールデンバランスとなる比率は一定）。
【０００７】
従って、スケールに標準バランスの目の形態を印刷する場合、被施術者毎に個別にスケールを作成することとなり現実的でない。また、スケールを用いた場合には、顔のスケールを当てている部位にはアイシャドーやアイライナーを描くことができず、使用性が悪いという問題点があった。
【０００８】
本発明は上記の点に鑑みてなされたものであり、被施術者の個々の特性に拘わらず使用性よく目元に対して美容施術を行いうる目元スケールを提供することを目的とする。
【課題を解決するための手段】
【０００９】
上記の課題は、第１の観点からは、
ケースと、
該ケース内に設けられた光源と、
前記ケースに形成され、前記光源の光をケース外部に照射するための開口部と、
前記光源と前記開口部との間に配設され、目元に施す化粧料の理想施術形状に対応した遮光部が形成されたマスク部材とを有し、
前記理想施術形状に対応した影を被施術者に投写しうる構成としたことを特徴とする目元スケールにより解決することができる。
【００１０】
また上記発明において、前記遮光部の形状は、縦Ｈに対する横Ｗの比率（Ｈ：Ｗ）が（１：２）から（１：４）の範囲であることが望ましい。
【００１１】
また上記発明において、前記光源をＬＥＤとしてもよい。
【００１２】
また上記発明において、前記化粧料をアイシャドーとしてもよい。
【００１３】
また上記発明において、前記ケースを携帯端末装置のケースとしてもよい。
【発明の効果】
【００１４】
開示の目元スケールによれば、目元に施す化粧料の理想施術形状に対応した影を目元に投写することができ、これに基づき化粧料の塗布を行えるため、容易に化粧料を理想施術形状に塗布することができる。
【図面の簡単な説明】
【００１５】
【図１】図１は、本発明の一実施形態である目元センサを使用している状態を示す図である。
【図２】図２は、本発明の一実施形態である目元センサを構成する本体部を説明するための斜視図である。
【図３】図３は本発明の一実施形態である目元センサを構成する本体部を説明するための図であり、（Ａ）は平面図、（Ｂ）は右側面図、（Ｃ）は正面図である。
【図４】図４は本発明の一実施形態である目元センサを構成する蓋体部を説明するための図であり、（Ａ）は底面図、（Ｂ）は右側面図である。
【図５】図５は本発明の一実施形態である目元センサを構成するフィルタを示す正面図である。
【図６】図６は、本発明の一実施形態である目元センサにより目元に投影された影を示す図である。
【図７】図７は、本発明の一実施形態である目元センサを携帯電話に適用した例を示す図である。
【発明を実施するための形態】
【００１６】
次に、本発明の実施の形態について図面と共に説明する。
【００１７】
図１は本発明の一実施形態である目元スケール１を使用している状態を示す図であり、図２乃至図５は本発明の一実施形態である目元スケール１の構成を説明するための図である。本実施形態に係る目元スケール１は、目元にアイシャドー或いはアイライナーを描く際に使用するスケールである。また本実施形態に係る目元スケール１は、樹脂製の定規状のスケールを用いるのではなく、図１に示すように被施術者Ａの目元に影（以下、影Ｓと示す）を投影し、この影Ｓをスケールとして用いることを特徴とするものである。以下、目元スケール１の具体的構成について説明する。
【００１８】
目元スケール１は、大略するとケース２、ＬＥＤ光源３、及びマスク部材４等により構成されている。ケース２は樹脂製であり、ケース本体５と蓋体６とにより構成されている。
【００１９】
ケース本体５は、図３（Ａ）に示すように平面視で楕円形状を有した板状部材であり、固定リブ７及びプリズム８等が設けられている。固定リブ７は後述するＬＥＤ光源３が装着されるものであり、アーム部７ａ及び装着凹部７ｂを有している。アーム部７ａは、ケース本体５に立設するよう一体的に形成されている。
【００２０】
このアーム部７ａは、ＬＥＤ光源３の装着位置を挟んで一対設けられている。ＬＥＤ光源３は装着時において、この一対のアーム部７ａに挟持されることによりケース本体５に保持される。このため、アーム部７ａの内側部分には、ＬＥＤ光源３の外形状に対応した装着凹部７ｂが形成されている。本実施形態では、ＬＥＤ光源３は円筒形状を有しているため、図３（Ｂ）に示すように、装着凹部７ｂの形状はＬＥＤ光源３の外形状に対応した円形状とされている。
【００２１】
本実施形態では、固定リブ７はケース本体５の長手方向（楕円の長辺方向）に離間して２個設けられている。よって、ＬＥＤ光源３は２個の固定リブ７により保持されるため、ケース本体５に確実に装着される。また一対の固定リブ７の間には、スイッチ装着部５ｂが設けられている。
【００２２】
このスイッチ装着部５ｂには、図示しないＯＮ／ＯＦＦスイッチが配設される。ＯＮ／ＯＦＦスイッチは、ＬＥＤ光源３を点灯或いは消灯するものである。このＯＮ／ＯＦＦスイッチは小型かつ扁平な形状のものが選定されており、そのスイッチノブ１６はケース本体５に形成されたスイッチ孔５ｃから外部に突出するよう構成されている（図１参照）。後述するように、被施術者Ａが目元スケール１を使用する際、被施術者Ａはスイッチノブ１６を操作することにより目元に影Ｓを投影する。
【００２３】
プリズム８は、ＬＥＤ光源３から出射する光Ｌの光路に設けられており、ＬＥＤ光源３から出射される光Ｌの光路を直角に変更させる機能を奏するものである。具体的には、ＬＥＤ光源３から出射した光Ｌはケース本体５の上面と平行に進んだ後、プリズム８の反射面８ａに入射される。反射面８ａは水平方向に対して４５°傾斜しており、よって光Ｌはプリズム８によりケース本体５に向け反射される。ケース本体５の反射面８ａと対向する位置には光照射孔５ａが形成されている。従って、ＬＥＤ光源３から出射した光Ｌは、プリズム８で光路を変更して光照射孔５ａから外部に照射される。
【００２４】
蓋体６は、ケース本体５に装着される。蓋体６の底面部１０には、図４（Ａ）に示すように複数のねじ孔１０ａが形成されている。また、前記したケース本体５のねじ孔１０ａに対応する位置には挿通孔５ｄが形成されている。よって、挿通孔５ｄとねじ孔１０ａとを位置決めした上で、固定ネジ（図示せず）を挿通孔５ｄを挿通させた上でねじ孔１０ａに螺着することにより、蓋体６はケース本体５に固定される。
【００２５】
蓋体６は内側に凹部９を有しており、ケース本体５に蓋体６が装着された状態でＬＥＤ光源３、固定リブ７、及びプリズム８等は蓋体６内に収納される。この蓋体６は図４に示すように半卵形状（略半楕円球）を有しており、把持しやすい形状となっている。このため、目元スケール１の操作性を高めることができる。
【００２６】
ＬＥＤ光源３は、図２に示すように円筒形状を有しており、内部にボタン電池等の電源及び発光源となるＬＥＤが配設されている。前記のＯＮ／ＯＦＦスイッチは、被施術者Ａによりスイッチノブ１６の操作により電源とＬＥＤとの接続（ＯＮ）及び接続解除（ＯＦＦ）を行う。スイッチノブ１６の操作により電源とＬＥＤが接続されるとＬＥＤは発光し、ＬＥＤからの光Ｌは反射面８ａで反射された後に光照射孔５ａを介して目元スケール１の外部に照射される。
【００２７】
また、ＬＥＤ光源３の先端部（光が出射する部位）にはレンズ３ｂが配設されている。このレンズ３ｂは光Ｌを出射する際、光Ｌの縦横比が同じになるレンズが選定されている。
【００２８】
更に、ＬＥＤ光源３に設けられたＬＥＤと、ケース本体５に形成された光照射孔５ａとの間には、マスク部材４が配設されている。本実施形態では、ＬＥＤ光源３に装着部３ａを設け、この装着部３ａにマスク部材４を装着する構成としている。
【００２９】
この装着部３ａの配設位置は、光Ｌの出射方向に対し、ＬＥＤの配設位置よりも前方でレンズ３ｂの配設位置よりも後方位置に設定されている。従って、ＬＥＤで発光した光Ｌは、装着部３ａに装着されたマスク部材４を通過してレンズ３ｂに至り、そして外部に出射される。
【００３０】
図５は、マスク部材４を拡大して示す図である。マスク部材４はシート状の樹脂フィルムより形成されている。このマスク部材４の所定位置には、マスク部材４を装着部３ａへ装着する際に把持する把持部４ｂが形成されている。
【００３１】
また、マスク部材４の略中央位置には、遮光部１１が形成されている。この遮光部１１は、光の透過率が低い塗料（本実施形態では黒色塗料）を印刷した構成である。しかしながら、遮光部１１は黒色塗料に限定されるものではなく、光を遮光しうるものであれば他の構成を採用してもよい（例えば、遮光フィルムの貼着等）。
【００３２】
上記のようにマスク部材４に遮光部１１を形成すると、遮光部１１はＬＥＤからの光を遮るため、マスク部材４を通過した光は遮光部１１の形状に対応した影Ｓが重畳された光となる。換言すると、ＬＥＤ光源３は、遮光部１１に対応した形状の影Ｓを投写する投写機としての機能を奏することとなる。
【００３３】
ここで、遮光部１１の形状に注目する。この遮光部１１の形状は、目元に施す化粧料（アイシャドー或いはアイライナー等）の理想施術形状に対応した形状とされている。この目元に施す化粧料の理想施術形状とは、ゴールデンバランスに基づく標準バランスの目の形態を基準として求められる。具体的には、図６に示すように眼裂の上下径Ｈ２と左右径Ｗ２の比率が１対３（Ｈ２：Ｗ２＝１：３）となる形状を理想施術形状という（特開2005−038375号公報参照）。
【００３４】
本実施形態では、マスク部材４に設ける遮光部１１の形状をこの理想施術形状に対応した比率としたことを特徴とする。即ち、本実施形態では、遮光部１１の縦Ｈ１に対する横Ｗ１の比率を１：３（Ｈ１：Ｗ１＝１：３）としたことを特徴としている。
【００３５】
ところで、遮光部１１の形状は必ずしも理想施術形状に対応したＨ１：Ｗ１＝１：３の比率にする必要はない。即ち、被施術者の顔形状によっては、目元に施す化粧料の理想施術形状をゴールデンバランスに設定すると、返って不自然になる場合も生じる。よって、このような場合には、眼裂の上下径Ｈ２と左右径Ｗ２の比率を理想施術形状に対応する比率から変えることが望ましい。
【００３６】
このような被施術者の個人差を含めた場合の遮光部１１の形状は、本発明者による長年の経験則からすると（Ｈ１：Ｗ１＝１：２）から（Ｈ１：Ｗ１＝１：４）の範囲となる。従って、この上記範囲内において、縦Ｈ１と横Ｗ１との比率が異なる複数種類の遮光部１１を有したマスク部材４を作製しておき、被施術者に目元スケール１を提供する際、当該被施術者の顔形状に対応した遮光部１１を有したマスク部材４を目元スケール１に装着して提供することとしても良い。これにより、個々の被施術者に適した形状の影Ｓを目元に投写することが可能となる。尚、以下の説明においては遮光部１１の形状をこの理想施術形状に対応したＨ：Ｗ＝１：３の比率を採用した場合を例に挙げて説明するが、
続いて、上記構成とされた目元スケール１を用いた化粧料（本実施形態ではアイシャドーを例に挙げる）の施術方法について説明する。
【００３７】
アイシャドーを目元に施術するには、図１に示すように被施術者Ａは目元スケール１を把持した上でスイッチノブ１６をＯＮとし、目元スケール１からの光Ｌを目に向けて照射する。このように、本実施形態では目元スケール１からの光Ｌを被施術者Ａの目に向けて照射するが、前記のように光Ｌはマスク部材４を通過した光であり、中央部分に遮光部１１に対応した影Ｓが形成されている。よって、光Ｌを被施術者Ａの目に向けて照射しても、影Ｓが目の位置となるため、光Ｌが直接被施術者Ａの目に照射されることはなく、安全性が担保されている。
【００３８】
図６は、光Ｌが照射された状態の被施術者Ａを正面から見た図である。同図に示すように、被施術者Ａの目の近傍には、マスク部材４に形成された遮光部１１に対応した影Ｓが投写されている。また上記したように、ＬＥＤ光源３に設けられたレンズ３ｂは、縦横比が同じ倍率となるよう構成されている。従って、遮光部１１の縦横比（Ｈ：Ｗ）はそのままの比率で被施術者Ａに投写され、被施術者Ａに投写された影Ｓの縦の長さ（Ｈ２）と横の長さ（Ｗ２）の比（Ｈ２：Ｗ２）も１：３となる。
【００３９】
従って、被施術者Ａは目元等に投写された影Ｓを見ながら、影Ｓに沿ってアイシャドーを施術することにより、容易かつ確実に理想施術形状（ゴールデンバランスに基づく標準バランスの目の形態）に対応した目元のメーキャップを行うことができる。この際、前記のように被施術者Ａの目に投写されるのは影Ｓであるため、投写されていない側の目ばかりでなく、投写が行われている目も開いて影Ｓを確認することができる。よって、これによってもアイシャドーの目元への施術を容易に行うことができる。
【００４０】
ところで、前記のように理想施術形状（ゴールデンバランスに基づく標準バランスの目の形態）は目の縦幅Ｈと目の横幅Ｗとの比で与えられるため、ゴールデンバランスに対応した目の縦幅の長さと目の横幅の実際の長さは、顔の大きさや目の大きさ等により被施術者Ａ毎に異なった長さとなる（しかしながら、理想施術形状となる比率は一定）。
【００４１】
このため、被施術者Ａの顔や目の大きさに対応した理想施術形状を、従来の物差し状のスケールに設けようとした場合、被施術者Ａ毎に個別にスケールを作成する必要が生じ現実的でない。
【００４２】
しかしながら本実施形態の目元スケール１では、投写される影Ｓの縦横比はゴールデンバランスに基づく標準バランスの目の形態に対応した縦横比（以下、理想縦横比という）である。また影Ｓの大きさは、被施術者Ａと目元スケール１との距離Ｌ（図１に示す）を移動させることにより変化させることができる。具体的には、距離Ｌを短くすれば影Ｓの面積は小さくなり、距離Ｌを長くすれば影Ｓの面積は大きくなる。しかしながら、距離Ｌを変動させて影Ｓの面積を変化させても、影Ｓの縦横比は理想縦横比を維持したままである。よって、目元スケール１は被施術者Ａの顔や目の大きさに拘わらず、単に被施術者Ａと目元スケール１との距離Ｌを調製することにより全ての被施術者Ａに対して適用することが可能となる。
【００４３】
尚、上記した実施形態では目元スケール１をケース本体５と蓋体６とにより構成される専用のケース２に収納した構成を示した。これに対し図７は、目元スケール１を携帯電話１５に組み込んだ構成を示している。このように、携帯電話１５のケースを目元スケール１のケースとして使用することも可能であり、これにより外出時に携帯電話１５と別箇に図１乃至５に示すような目元スケール１を携帯する必要はなくなり、被施術者Ａの利便を図ることができる。
【００４４】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００４５】
例えば、上記した実施形態では光源としてＬＥＤ光源３を用いたが、光源はＬＥＤに限定されるものではなく、他の光源を用いることも可能である。
【００４６】
また上記した実施形態では、マスク部材４をＬＥＤとレンズ３ｂとの間に配設した構成を示したが、マスク部材４の配設位置はＬＥＤ光源３内に限定されるものではなく、ケース２内における光Ｌの経路途中であれば、他の部位に配設することも可能である。
【符号の説明】
【００４７】
１  目元スケール
２  ケース
３  ＬＥＤ光源
３ａ  装着部
４  マスク部材
６  蓋体
７  固定リブ
８  プリズム
８ａ  反射面
１１  遮光部
１２  レンズ
１５  携帯電話
１６  スイッチノブ
Ａ  被施術者
Ｌ  光
Ｓ  影
【図１】
2012000300.tif 000003
【図２】
2012000300.tif 000004
【図３】
2012000300.tif 000005
【図４】
2012000300.tif 000006
【図５】
2012000300.tif 000007
【図６】
2012000300.tif 000008
【図７】
2012000300.tif 000009